(57)【要約】【課題】出産後の悪露処理、術後の排泄処理などのために使用され、異なる体格の着用者であってもフィット感を得られる吸収パッド装着用ベルト及び衛生用品を提供する。【解決手段】装着用ベルト１は、尻当て部１１、股当て部１２、腹当て部１３が連続して一体に形成された吸収パッド１０を患者に装着するための装着用ベルト１であって、前記吸収パッド１０とは別体で長手状に形成されたベルト本体４と、前記ベルト本体４の中間に設けられ、前記吸収パッド１０の前記尻当て部１１側で高さ位置を変更可能に取り付けられる後側止着部２２と、前記ベルト本体４の両端に設けられ、前記吸収パッド１０の前記腹当て部１３側に取り付けられる前側止着部２１，２３と、を備える。【選択図】図１
2011167352.tif 000002
【特許請求の範囲】
【請求項１】
尻当て部、股当て部、腹当て部が連続して一体に形成された吸収パッドを患者に装着するための装着用ベルトであって、
前記吸収パッドとは別体で長手状に形成されたベルト本体と、
前記ベルト本体の中間に設けられ、前記吸収パッドの前記尻当て部側で高さ位置を変更可能に取り付けられる後側止着部と、
前記ベルト本体の両端に設けられ、前記吸収パッドの前記腹当て部側に取り付けられる前側止着部と、
を備えることを特徴とする装着用ベルト。
【請求項２】
伸縮性のある伸縮素材を用いた伸縮部を備えることを特徴とする請求項１に記載の装着用ベルト。
【請求項３】
尻当て部、股当て部、腹当て部が連続して一体に形成された吸収パッドと、
前記吸収パッドとは別体で長手状に形成されたベルト本体と、前記ベルト本体の中間に設けられ、前記吸収パッドの前記尻当て部側で高さ位置を変更可能に取り付けられる後側止着部と、前記ベルト本体の両端に設けられ、前記吸収パッドの前記腹当て部側に取り付けられる前側止着部と、を設けた装着用ベルトと、
を備えてなることを特徴とする衛生用品。
【請求項４】
前記装着用ベルトは、伸縮性のある伸縮素材を用いた伸縮部を備えることを特徴とする請求項３に記載の衛生用品。
【発明の詳細な説明】
【技術分野】
【０００１】
この発明は、体格の異なる患者であってもフィットし、出産後の悪露処理、入院時の排泄処理などのために使用される吸収パッド装着用ベルト及び衛生用品に関する。
【背景技術】
【０００２】
従来より、出産後の悪露処理或いは術後の排泄処理などの対応のために、吸収パッドが使用されている。吸収パッドは吸水性のあるパッドであり、例えば、産院では分娩後の産婦の体にあてがって処置されるため、衛生的観点からディスポーザブルなパッドが使用されることが多い。
【０００３】
分娩直後或いは術後などには、介助者が仰臥した状態の患者に吸収パッドを装着するため、介助者が患者に着脱させ易い展開型のショーツが好まれる。
【０００４】
例えば、特許文献１に記載の図２Ａ〜２Ｃに示すような展開型ショーツは、尻当て部、吸水性パッドが主に装着される股当て部、腹当て部が連続して一体に形成されるとともに、前記尻当て部の左右から側方に突出して前記腹当て部に係合される帯状係合部が一体に形成され、前記帯状係合部が充分な幅を有し、前記帯状係合部に配設された面ファスナと、前記腹当て部に配設された面ファスナを係合させることによって腰回りをすっぽりと包むショーツ型のＴ字帯である。
【０００５】
その他、特許文献２に記載の図９に示すようなオムツ型のショーツに吸水性パッドが装着されて使用されている。
【０００６】
オムツ型の展開型ショーツは、吸水性パッドが装着される股当て部に対応する部分が縊れ、尻当て部、股当て部、腹当て部が連続して一体に形成されたテープ式使い捨ておむつである。当該使い捨ておむつの尻当て部側両端部には面ファスナによるファスニング片を有し、背面側の液の透過を防止するバックシートの裏側の不織布からなる外装シートに、ターゲットテープを省略して止着でき、且つ前記ファスニング片による止着位置を自由に選択できるように構成されている。
【先行技術文献】
【特許文献】
【０００７】
【特許文献１】特開２００７−２１５８２２号公報
【特許文献２】特開２００７−１７５２４８号公報
【発明の概要】
【発明が解決しようとする課題】
【０００８】
通常、展開型ショーツなどを含む市販のディスポーザブルなショーツは、着用者のサイズに適合していなければフィット感が悪く漏れなどが生じるために、着用者の体格に適合したサイズで購入される。
【０００９】
しかし、患者ごとに異なる体格に対応した展開型ショーツを病院、医院などで準備することは困難であるため、患者ごとの体格差を考慮せずに同じサイズの展開型ショーツで対応しているのが現実である。
【００１０】
特許文献1に記載された発明では、展開型ショーツ装着時の股の分かれ目から前記腹当て部終端までの長さは、前記帯状係合部に配設された面ファスナと前記腹当て部に配設された面ファスナとの係合可能範囲、つまり前記帯状係合部の高さ幅のみでしか調整出来ない構成となっており、異なる体格に対してサイズ対応が不十分である。
【００１１】
また、腰囲或いは腹囲の肉付き度合いによって前記腹当て部の面ファスナの全領域が前記係合可能範囲の面ファスナに係合できない場合には、展開型ショーツが着用者にフィットせず不快感があり、漏れが生じることになる。また、展開型ショーツ内の吸収パッドは前記ショーツに対して十分な固定力がないため、前記ショーツ内で吸収パッドのずれが生じる虞が高く、フィット感もより乏しくなってしまう。
【００１２】
特許文献２に記載された発明では、展開型ショーツの前記尻当て部側両端部に設けた前記ファスニング片を前記腹当て部側外装シートの患者の体格に応じた止着位置に止着することができるが、前記尻当て部側に固定されている前記ファスニング片を前記腹当て部側の着用者の体格に応じた止着位置で無理に止着すると、ショーツ内に装着した前記吸水性パッドに変形或いはずれなどが生じる虞がある。また、前記特許文献１に記載された展開型ショーツと同様に、異なる体格に対するサイズ対応も不十分である。
【課題を解決するための手段】
【００１３】
本発明は、上述した状況に鑑み、出産後の悪露処理、術後の排泄処理などのために使用され、異なる体格の着用者であってもフィット感を得られる吸収パッド装着用ベルト及び衛生用品の提供を目的とする。
【００１４】
即ち、本発明の装着用ベルトは、下記［１］［２］に記載の構成を有する。
【００１５】
［１］  尻当て部、股当て部、腹当て部が連続して一体に形成された吸収パッドを患者に装着するための装着用ベルトであって、
前記吸収パッドとは別体で長手状に形成されたベルト本体と、
前記ベルト本体の中間に設けられ、前記吸収パッドの前記尻当て部側で高さ位置を変更可能に取り付けられる後側止着部と、
前記ベルト本体の両端に設けられ、前記吸収パッドの前記腹当て部側に取り付けられる前側止着部と、
を備えることを特徴とする装着用ベルト。
【００１６】
［２］  伸縮性のある伸縮素材を用いた伸縮部を備えることを特徴とする前項１に記載の装着用ベルト。
【００１７】
［３］  尻当て部、股当て部、腹当て部が連続して一体に形成された吸収パッドと、
前記吸収パッドとは別体で長手状に形成されたベルト本体と、前記ベルト本体の中間に設けられ、前記吸収パッドの前記尻当て部側で高さ位置を変更可能に取り付けられる後側止着部と、前記ベルト本体の両端に設けられ、前記吸収パッドの前記腹当て部側に取り付けられる前側止着部と、を設けた装着用ベルトと、
を備えてなることを特徴とする衛生用品。
【００１８】
［４］  前記装着用ベルトは、伸縮性のある伸縮素材を用いた伸縮部を備えることを特徴とする前項３に記載の衛生用品。
【発明の効果】
【００１９】
［１］に記載された発明によれば、患者の体格に関わらず同じサイズの吸収パッドを使用した場合であっても、吸収パッドの尻当て部側に取り付ける装着用ベルトの後側止着部の高さ位置を患者の体格に応じて調整して、前側止着部を腹当て部側に取り付けて装着することで、吸収パッドのズレなどが生じることが低減され、着用者はフィット感を得ることができるようになる。また、前記吸収パッドに装着用ベルトが直接取り付けられることで、ズレをより低減することができ、より優れたフィット感を得ることができるようになる。さらに、吸収パッドを単純な構成にすることができるため、低コスト化を図ることができる。
【００２０】
［２］に記載された発明によれば、装着用ベルトの一部に伸縮性のある伸縮部を備えることで、患者の体格に応じて更なるフィット感を得ることができるようになる。
【００２１】
［３］に記載された発明によれば、患者の体格に関わらず同じサイズの吸収パッドを使用した場合であっても、吸収パッドの尻当て部側に取り付ける装着用ベルトの後側止着部の高さ位置を患者の体格に応じて調整して、前側止着部を腹当て部側に取り付けて装着することで、吸収パッドのズレなどが生じることが低減され、着用者はフィット感を得ることができるようになる。また、前記吸収パッドに装着用ベルトが直接取り付けられることで、ズレをより低減することができ、より優れたフィット感を得ることができるようになる。さらに、吸収パッドを単純な構成にすることができるため、低コスト化を図ることができる。
【００２２】
［４］に記載された発明によれば、装着用ベルトの一部に伸縮性のある伸縮部を備えることで、患者の体格に応じて更なるフィット感を得ることができるようになる。
【図面の簡単な説明】
【００２３】
【図１】本発明の一実施形態にかかる装着用ベルト、及び吸収パッドを含む衛生用品の全体斜視図である。
【図２】図１の装着用ベルトの展開図である。
【図３】図１の吸収パッド及び装着用ベルトの装着手順を示す斜視図である。
【図４】図１の吸収パッド及び装着用ベルトの装着手順を示す斜視図である。
【図５】図１の吸収パッド及び装着用ベルトの装着手順を示す斜視図である。
【図６】図１の吸収パッド及び装着用ベルトの体格別装着状態を示す斜視図である。
【発明を実施するための形態】
【００２４】
図1は、本発明の一実施形態にかかる衛生用品の全体斜視図である。同図に示すように、この衛生用品は、出産後の悪露処理などに用いられる吸収パッド１０と、同パッド１０を患者に装着するための装着用ベルト１を含んでいる。
【００２５】
吸収パッド１０は、尻当て部１１、股当て部１２、腹当て部１３が連続して一体に形成されている。
【００２６】
吸収パッド１０は、防水シート１７ｂと着用者の肌に直接触れる面としてトップシート１７ａを有し、前記トップシート１７ａ及び前記防水シート１７ｂ間に介在する吸水性の吸水性パッド１４と、横漏れを防止するためのギャザー１６を左右に備えて構成されている。
【００２７】
吸収パッド１０に設けた前記防水シート１７ｂの裏側、即ち着用者の肌に直接触れない吸収パッド１０の表面である外装シートは、例えば不織布などからなっている。
【００２８】
吸収パッド１０は、吸収パッド１０よりさらに小さいサイズの吸水性パッド(小パッド)１５と大小重ねて使用され、直接患部に触れる小パッド１５の交換を容易にするとともに、小パッド１５から漏れても吸収パッド１０で吸収できるように構成されている。
【００２９】
吸収パッド１０の交換を低減して低コスト化を図るために小パッド１５を使用することが好ましいが、吸収パッド１０の交換頻度が低いなどで吸収パッド１０のみで使用されるのであってもよく、小パッド１５は必ずしも必要ではない。
【００３０】
吸収パッド１０を患者に装着するためのベルトである装着用ベルト１は、ベルト本体４と、後側止着部２２、及び前側止着部２１，２３を備えて構成されている。
【００３１】
ベルト本体４は、非伸縮性の材料、例えば不織布などから形成され、吸収パッド１０とは別体で構成されている。
【００３２】
ベルト本体４は、一部に伸縮性のある伸縮素材、例えば、ゴム或いはポリウレタンなどの不織布などを用いた伸縮部３（３１，３２）が設けられ、長手状に形成されている。尚、ベルト本体４の長手方向両端は、丸みを帯びた形状で図示しているが、これに限定されるものではない。
【００３３】
図２の展開図で示すように、ベルト本体４は、破線部Ａに対してＢ面及びＣ面が線対称となっており、３枚の不織布４１，４２，４３と、２つの伸縮部３１，３２で構成されている。
【００３４】
そして、ベルト本体４は、不織布４１，４２，４３を破線部Ａで折り込んでＢ面及びＣ面を重ね合わせ、不織布４１，４２，４３及び伸縮部３１，３２が繋ぎ合わされて長手状に形成されるようになっている。
【００３５】
尚、不織布４１，４２，４３と伸縮部３１，３２は、縫着されて繋ぎ合わされるのであってもよいし、接着剤などで貼着されて繋ぎ合わされるのであってもよい。
【００３６】
各パーツが繋ぎ合わされ、ベルト本体４が図1に示すような長手状を形成するのであれば、その手段は問わない。
【００３７】
また、ベルト本体４の強度を上げるために、Ｂ面及びＣ面を重ね合わせて繋ぎ合わすように説明したが、不織布４１，４２，４３の生地に十分な強度を保てるだけの厚みがある場合には、Ｂ面或いはＣ面の何れか一面のみの不織布と伸縮部３１，３２とで長手状に形成されるのであってもよい。
【００３８】
ベルト本体４の片面には、例えば、吸収パッド１０の外装シートに取り付け可能に構成された止着部２、例えば、後側止着部２２及び前側止着部２１，２３を備えている。以降では、装着用ベルト１の止着部２（２１，２２，２３）を備えた面を、装着用ベルト１の内側面と換言する。
【００３９】
後側止着部２２及び前側止着部２１，２３は、前記外装シートに取り付け可能なフック面を設けた面ファスナなどの止着部材で構成され、ベルト本体４に縫着されている。
【００４０】
後側止着部２２は、ベルト本体４の中間に設けられ、吸収パッド１０の尻当て部１１側の外装シートに高さ位置を変更可能に取り付けられるように構成されている。
【００４１】
つまり、後側止着部２２は尻当て部１１側の外装シートの何れの箇所でも取り付け可能に構成されているため、吸収パッド１０に装着用ベルト１を取り付ける高さ位置を着用者の体格に応じて変更及び調整することが出来る。このように構成されることで着用者はフィット感を得られるようになるのである。
【００４２】
また、前記装着用ベルト１に伸縮部３を設けることで、着用者はよりフィット感を得られるようになるのである。
【００４３】
上述したように前記装着用ベルト１の一部が伸縮部３で構成されていると、伸びしろが適切な量となり、着用者はよりフィット感を得られるため、前記伸縮部３は前記装着用ベルト１の一部に設けられることが好ましい。
【００４４】
尚、ベルト本体４の不織布４１，４２，４３が伸縮性のある素材で構成されているのであってもよい。その場合、ベルト本体４の全てが伸縮性のある同一素材で構成されるのであってもよいし、伸縮率の異なる素材を組合せて構成されるのであってもよい。何れの構成であっても、伸縮性のある素材を少なくとも一部に用いて、着用者のフィット感を阻害しない素材の組合せであればよい。
【００４５】
前側止着部２１，２３は、ベルト本体４の両端に設けられ、吸収パッド１０の腹当て部１３側の外装シートに取り付けられるように構成されている。
【００４６】
装着用ベルト１の前側止着部２１，２３は、吸収パッド１０の腹当て部１３側の外装シートの何れの箇所でも取り付け可能に構成されているため、吸収パッド１０装着時の腹囲或いは腰囲の許容長を広くとることができるのである。
【００４７】
上述したように、前記前側止着部２１，２３の両方を腹当て部１３側外装シートに取り付けることで、吸収パッド１０をより安定して装着することが出来るので好ましい。しかし、前側止着部２１，２３がベルト本体４の生地にも取り付け可能に構成されるのであってもよい。この場合、前記前側止着部２１，２３の少なくとも一方を吸収パッド１０の腹当て部１３側に外装シートに取り付けて同パッド１０を安定して固定させるのがよい。
【００４８】
次に、図３〜５に基づいて、前記吸収パッド１０の装着方法について説明する。
【００４９】
上述した前記装着用ベルト１及び前記吸収パッド１０は、衛生用品として病院及び医院などで使用される。一例として、介助者がベッドなどに仰臥した患者に吸収パッド１０を装着する場合について説明する。
【００５０】
図３に示すように、前記装着用ベルト１の内側面に、小パッド１５を重ねた吸収パッド１０を重ね、装着用ベルト１の後側止着部２２を吸収パッド１０の尻当て部１１に取り付ける。
【００５１】
後側止着部２２を取り付けた位置が、着用者に吸収パッド１０を装着する際の高さ位置となるのである。
【００５２】
従ってこの時、装着用ベルト１の後側止着部２２は、吸収パッド１０の尻当て部１１側の予め患者の体格に応じて調整された位置に取り付けておくことが好ましい。
【００５３】
図４に示すように、装着用ベルト１が取り付けられた吸収パッド１０を患者の腰腹部の下に差し込んだ後、小パッド１５ごと吸収パッド１０で腹部を覆うようにあてがう。尚、先に小パッド１５を患部にあてがい、さらに吸収パッド１０で腹部を覆うようにあてがうのであってもよい。
【００５４】
この時、例えば、取り外し可能な止着部材が後側止着部２２に使用されている場合に、吸収パッド１０の腹当て部１３の長さが短いようであれば、適宜尻当て部１１側の後側止着部２２の位置を股下方向に上げるなどして腹部長さを調整すればよい。
【００５５】
尚、腹部長さとは、吸収パッド１０を装着時の股の分かれ目から装着用ベルト１が装着される位置までの長さを意味する。
【００５６】
図５に示すように、患者にあてがった小パッド１５及び吸収パッド１０がずれないようにして、装着用ベルト１の両端を腹部側に巻き付け、両端の前側止着部２１，２３を腹当て部１３側の外装シートに止着して吸収パッド１０を固定させる。
【００５７】
前記伸縮部３の伸縮により、さらにフィット感が得られるようになり、吸収パッド１０或いは小パッド１５のずれを低減することができる。
【００５８】
図６（ａ）〜６（ｃ）に示すように、前記装着用ベルト１の構成を利用して様々な体格の相違にも対応することができる。
【００５９】
図６（ａ）に示すように、細めの体格などで吸収パッド１０の腹当て部１３の長さが長くなる場合には、尻当て部１１側の後側止着部２２を股下方向に下げるように調整することで、着用者の体格にフィットさせることができる。
【００６０】
また、図６（ｂ）に示すように、太めの体格などで吸収パッド１０の腹当て部１３の長さが短くなる場合でも、後側止着部２２を臍方向に上げる、つまり後側止着部２２を吸収パッド１０の端に取り付けるなどして、腹部長さを調整することができる。
【００６１】
図６（ｃ）に示すように、例えば、出産直前の産婦であれば、破水でベッドなどが汚れることを防止するために吸収パッド１０を利用することが考えられ、腹部を圧迫することなく装着用ベルト１で固定することができる。また、帝王切開などの手術で切開された傷口を避けて装着用ベルト１を装着することも可能となる。
【００６２】
上述したように、患者の体格に関わらず同じサイズの吸収パッド１０を使用した場合であっても、吸収パッド１０の尻当て部１１側に取り付ける装着用ベルト１の後側止着部２２の高さ位置を患者の体格に応じて調整して、前側止着部２１，２３を腹当て部１３側に取り付けて装着する。それにより、吸収パッド１０のズレなどが生じることが低減され、着用者はフィット感を得ることができるようになるのである。
【００６３】
また、前記吸収パッド１０に装着用ベルト１が直接取り付けられることで、ズレをより低減することができ、より優れたフィット感を得ることができるようになるのである。
【００６４】
さらに、装着用ベルト１と別体になっている吸収パッド１０を単純な構成にすることができる。加えて、前記吸収パッド１０の交換に合わせて装着用ベルト１を交換する必要がなくなるため、よりコストを低減することができるのである。そのため、ベルト本体４は、撥水加工や抗菌加工が施されていることが好ましい。
【００６５】
上述の説明では、装着用ベルト１に３箇所の止着部２（２１，２２，２３）を設けて、吸収パッド１０に取り付けるように説明したが、３箇所以上に止着部２が設けられているのであっても構わない。
【００６６】
少なくとも、吸収パッド１０の尻当て部１１側及び腹当て部１３側のそれぞれに装着用ベルト１の止着部２が取り付け可能に構成されていればよい。このような構成により、吸収パッド１０をより安定して装着固定させることができる。
【００６７】
さらに、装着用ベルト１の止着部材は、ループ面とフック面が混在した面ファスナであってもよいし、面ファスナに限定されるものではなく粘着テープであってもよい。
【００６８】
また、止着部材は、吸収パッド１０と取り外しが可能な部材で構成されていてもよいし、取り外し不可能な部材で構成されているのであってもよい。
【００６９】
上述した吸収パッド１０は一例であり、止着部２の止着部材と前記吸収パッド１０の外装シート素材との組み合わせが止着可能な組み合わせであればよい。
【００７０】
また、吸収パッド１０には、尻当て部１１の幅方向中間に後側止着部２２と止着可能な止着部材が縦方向に設けられているのであってもよく、少なくとも本発明では吸収パッド１０に装着用ベルト１の後側止着部２２が高さ位置を変更可能に取り付けられる構成のパッドであれば、その他の構成及び用途については特に限定しない。
【００７１】
本発明の装着用ベルト１は出産後の悪露処理などに使用される産褥用パッド、帝王切開などの術後の患部に当てるパッド、介護での排泄処理などに使用される尿とりパッドなど様々な吸収性物品の固定に用いることができる。また、上述したような病院、医院などに限定せず、各家庭で使用される吸収性物品の固定に用いられるのであってもよい。
【符号の説明】
【００７２】
１…装着用ベルト
２…止着部
３…伸縮部
４…ベルト本体
１０…吸収パッド
１１…尻当て部
１２…股当て部
１３…腹当て部
１４…吸水性パッド
１５…吸水性パッド（小パッド）
２１,２３…前側止着部
２２…後側止着部
３１,３２…伸縮部
【図１】
2011167352.tif 000003
【図２】
2011167352.tif 000004
【図３】
2011167352.tif 000005
【図４】
2011167352.tif 000006
【図５】
2011167352.tif 000007
【図６】
2011167352.tif 000008